(57)【特許請求の範囲】
【請求項１】
シート材で形成され、磁石を収容する複数個の磁石収容部を備えてなり、該磁石収容部が筒状構造又は小袋状構造を有し、該筒状構造又は該小袋状構造が連続的に並設するように形成されているフィルタ。
【請求項２】
前記磁石収容部は、２枚の前記シート材が所定間隔で接合されることにより筒状構造に形成され、該筒状構造は連続的に並設している請求項１に記載のフィルタ。
【請求項３】
前記磁石収容部は、前記シート材と該シート材の対向する一対の側部それぞれで折り返し形成された折り返し部とが、所定間隔で接合されることにより小袋状構造に形成され、該小袋状構造は連続的に並設している請求項１に記載のフィルタ。
【請求項４】
前記磁石収容部は、前記シート材と該シート材の対向する一対の側部それぞれに沿って配された別シート片とが、所定間隔で接合されることにより小袋状構造に形成され、該小袋状構造は連続的に並設している請求項１に記載のフィルタ。
【請求項５】
前記磁石収容部それぞれは、２枚の前記シート材が所定間隔で接合されることにより、連続して形成される筒状構造を備え、該シート材の対向する一対の側部それぞれも接合されており、該磁石収容部それぞれは、それらの両端部から内側に離間した位置に、それぞれ磁石挿入開口部を有している請求項１に記載のフィル タ。
【請求項６】
請求項１〜５の何れかに記載のフィルタを、該フィルタの対向する一対の側部近傍に設けられた前記磁石収容部を残すように、所定の大きさに切断し、対向する一対の該磁石収容部には磁石を収容し、所定の金属部位に取り付けるフィルタの取り付け方法。
【発明の詳細な説明】
【技術分野】
【０００１】
本発明は、レンジフード用フィルタ、エアコン用フィルタ、通気口用フィルタ等のフィルタに関する。
【背景技術】
【０００２】
従来、システムキッチンなどの換気扇には、換気扇のファンが油等で汚れるのを防ぐため、金属製のグリスフィルタが取り外し自在に装着されており、このグリスフィルタの油、塵、埃等の微粒子による汚れを掃除する手間を省くために、グリスフィルタを使い捨ての不織布でカバーしている。
特許文献１には、両端に磁石を装着し伸縮自在で使い回し可能なフィルタ支持部材と、両側辺部に前記フィルタ支持部材を挿入可能な挿入部を形成した使い捨てのフィルタとからなるレンジフード用フィルタ装置が開示されている。
特許文献２には、取り付けるグリスフィルタの大きさに合わせて使い捨てのフィルタをカットし、カットした使い捨てのフィルタを、複数個の磁石片を用いてグリスフィルタに固定するレンジフード用フィルタ装置が開示されている。
【０００３】
しかしながら、特許文献１に記載のレンジフード用フィルタ装置は、フィルタ支持部材の全てがフィルタの内部に収容されておらず、フィルタ支持部材の両端がフィルタからはみ出ている。同様に、特許文献２に記載のレンジフード用フィルタ装置の複数個の磁石片それぞれは、フィルタの内部に収容されておらず、露出している。
【０００４】
従って、フィルタを交換する際、特許文献１に記載のフィルタ支持部材又は特許文献２に記載の磁石片に付着した油等による汚れを掃除する必要がある。また、特許文献１に記載のレンジフード用フィルタ装置は、挿入部内に磁石が無く、フィルタ支持部材と挿入部との間に隙間があるため、フィルタ装置を密着固定できない。また、特許文献２に記載のレンジフード用フィルタ装置では、複数個の磁石片を一つずつ取り付ける必要があることから、取り付けが面倒である。
【０００５】
【特許文献１】実開平５−６７３１１号公報
【特許文献２】特開平４−１３１１１３号公報
【発明の開示】
【発明が解決しようとする課題】
【０００６】
したがって、本発明の目的は、使いまわす磁石を汚さない使い捨てのフィルタを提供することにある。また、磁石をフィルタ内に収容して一体化できる使い捨てのフィルタを提供することにある。また、そのフィルタの取り付け方法を提供することにある。
【課題を解決するための手段】
【０００７】
本発明は、シート材で形成され、磁石を収容する複数個の磁石収容部を備えてなり、該磁石収容部が筒状構造又は小袋状構造を有し、所望の長さに切断しても筒状構造又は小袋状構造が取り付けに適切な位置に来るように形成されているフィルタを提供することにより前記目的を達成したものである。また、本発明は、そのようなフィルタを、対向する一対の側部近傍に設けられた前記磁石収容部を残すように、所定の大きさに切断し、少なくとも該磁石収容部に磁石を収容し、所定の金属部位に取り付けるフィルタの取り付け方法を提供するものである。
【発明の効果】
【０００８】
本発明のフィルタによれば、何度も使用して使いまわす磁石を汚さない使い捨てのフィルタを提供することができる。また、磁石をフィルタ内に収容して一体化できる使い捨てのフィルタを提供することができる。
【発明を実施するための最良の形態】
【０００９】
以下、本発明のフィルタであるレンジフード用フィルタの好ましい第1実施形態について、図１〜図４に基づいて説明する。尚、各図中、同一符号は同一の構成要素を示している。
【００１０】
第1実施形態のレンジフード用フィルタ１Ａは、図１及び図２に示すように、２枚のシート材２，３で形成され、磁石４を収容する複数個の磁石収容部５を備えてなり、複数個の磁石収容部５それぞれは、２枚のシート材２，３が所定間隔で接合されることにより筒状構造に形成されている。これらの磁石収容部５は、所望の長さに切断しても筒状構造が取り付けに適切な位置に来るように、対向する左右一対の側部１ａ，１ａ近傍には、少なくともそれぞれ設けられており、これらの筒状構造は連続的に並設している。
【００１１】
レンジフード用フィルタ１Ａは、図１に示すように、実質的に横方向に長い長方形状であり、レンジフード用フィルタ１Ａは、金属からなるグリスフィルタに当接するグリスフィルタ当接面側のシート材２及びグリスフィルタ非当接面側のシート材３の２枚のシート材で形成されている。グリスフィルタ当接面側のシート材２及びグリスフィルタ非当接面側のシート材３は、図１に示すように、同形・同大のシート材である。
【００１２】
レンジフード用フィルタ１Ａの磁石収容部５は、図１に示すように、磁石４を収容する部位であり、グリスフィルタ当接面側のシート材２及びグリスフィルタ非当接面側のシート材３をレンジフード用フィルタ１Ａの幅方向の両端部間に亘って接合する接合部６と、それと隣接する接合部６とで挟まれて筒状構造に形成されている。図１に示すように、磁石収容部５は、レンジフード用フィルタ１Ａの幅方向の両端部間に亘って延びている。
【００１３】
レンジフード用フィルタ１Ａの複数個の磁石収容部５は、図１に示すように、対向する左右一対の側部１ａ，１ａ近傍には、少なくとも設けられており、隣接する磁石収容部５と連続的に並設している。ここで、連続的に並設とは、グリスフィルタの大きさに合うようにカットした際、切断されたレンジフード用フィルタ１Ａの両側部に磁石収容部５が備わるように、磁石収容部５を連続的に並設していればよい。
市販のグリスフィルタは横幅が３００ｍｍのものが主流であることから、切断して使用する長さとし、複数枚のグリスフィルタに利用できるように、シート材２，３の全長は６００〜３６００ｍｍが好ましい。また、磁石収容部５を形成する接合部６の幅は、シート材２とシート材３とを接合する強度が保たれる幅であれば良い。また、接合部６と隣接する接合部６との間隔（筒状構造の磁石収容部５の幅）Ｗは、５〜５０ｍｍであることが好ましく、５〜３０ｍｍであることがより好ましい。
【００１４】
レンジフード用フィルタ１Ａに収容される磁石４は、図１に示すように、レンジフード用フィルタ１Ａの幅方向の両端部間に亘って延びる矩形状の磁石である。磁石４は、図２に示すように、グリスフィルタ当接面側のシート材２及びグリスフィルタ非当接面側のシート材３の間で挟持されて収容される。レンジフード用フィルタ１Ａは、設置するグリスフィルタの大きさに合うようにカットされ、磁石４は、そのカットしたレンジフード用フィルタ１Ａの対向する左右一対の側部近傍に位置する磁石収容部５それぞれに収容される。また、磁石４は、カットしたレンジフード用フィルタ１Ａの長手方向の略中央に位置する磁石収容部５にも収容しても良い。このように略中央にも磁石４を収容すれば、カット後のレンジフード用フィルタ１Ａをグリスフィルタに隙間なく固定することができる。
【００１５】
レンジフード用フィルタ１Ａに収容される磁石４は、図３に示すように、プラスチック樹脂製の矩形状の本体４１と、本体４１の長手方向の両端部のグリスフィルタ当接面上に固着された略円状の磁石片４２とから形成されている。ここで、磁石の形状は長方形やひし形のものを使用してもよい。矩形状の本体４１は、図３に示すように、一方の支持部材４１ａと他方の支持部材４１ｂとからなり、支持部材４１ａの外径を支持部材４１ｂの内径と略同一とし、支持部材４１ａを支持部材４１ｂ内に嵌入させ、長さ方向に摺動可能となっている。従って、レンジフード用フィルタ１Ａを設置するグリスフィルタの大きさに合うようにカットし、レンジフード用フィルタ１Ａの幅が短くなったとしても、矩形状の本体４１の長さを調整して、カットしたレンジフード用フィルタ１Ａに収容することができる。また、支持部材４１ａの略円状の磁石片４２側の端部及び支持部材４１ｂの略円状の磁石片４２側の端部それぞれは、図３に示すように、角を無くし丸く形成している。このように端部を丸くすることにより、磁石収容部５へ磁石４をスムーズに挿入することができる。また、支持部材４１ａの略円状の磁石片４２側の端部において、磁石片４２より外側の部位が、幅方向に括れ、一対の括れ部４１ｃを形成している。
【００１６】
レンジフード用フィルタ１Ａの磁石収容部５それぞれには、図１及び図４に示すように、レンジフード用フィルタ１Ａの長手方向の側部の一方であって、レンジフード用フィルタ１Ａに収容される磁石４の括れ部４１ｃに合う位置に、磁石４を仮固定する一対の仮固定部５１を設けている。一対の仮固定部５１それぞれは、グリスフィルタ当接面側のシート材２及びグリスフィルタ非当接面側のシート材３を接合して形成されており、レンジフード用フィルタ１Ａの長手方向に平行に、収容する磁石４の括れ部４１ｃの近傍まで延びるように形成されている。一対の仮固定部５１の幅は、それぞれ、接合部６の幅と同様である。このような仮固定部５１を磁石収容部５に設けることにより、収容する磁石４の抜け落ちを防止することができ、レンジフード用フィルタ１Ａと磁石４との密着性を確保でき一体性がより向上する。また、磁石４の端部が磁石収容部５の端部まで延び固定されるので、フィルタ１Ａの端部とグリスフィルタの密着性が確保でき、油煙がフィルタ１Ａとグリスフィルタの隙間から侵入することによる汚れをより防ぐ事ができる。
【００１７】
レンジフード用フィルタ１Ａのグリスフィルタ当接面側のシート材２及びグリスフィルタ非当接面側のシート材３は、ケミカルボンド不織布、スパンボンド不織布、メルトブローン不織布、スパンレース不織布、エアースルー不織布、ヒートロール不織布、ニードルパンチ不織布等の種々の公知の不織布を用いることができる。レンジフードに取り付けられて用いられる観点から、シート材２及びシート材３は防炎性であることが好ましく、ガラス繊維、炭素繊維などの不燃性繊維、ポリ塩化ビニル、ポリ塩化ビニリデン、ポリクラール、難燃ポリエステル、難燃アクリル、難燃レーヨン等の難燃性繊維から構成されるか、不燃物繊維及び／又は難燃性繊維が混綿されていることが好ましい。尚、ここで言う難燃性繊維とはＬＯＩ値が２６以上の繊維を示す。また、シート材２及びシート材３は不燃性や難燃性繊維から構成されない、または構成されていても防炎性が不十分である場合は、後加工の工程でハロゲン系またはリン系、ポリホウ酸の難燃剤を固着させたり、難燃剤を含んだ樹脂をバインダーとして繊維表面に皮膜形成させたりすることで防炎性が賦与されることが好ましい。
【００１８】
シート材２、シート材３には、フィルタとして使用できる繊維であればどのような繊維も利用する事ができ、水流により繊維の配向や交絡を調節し、厚みや強度を変化させることができるスパンレース不織布が特に好ましい。スパンレース不織布はポリ塩化ビニル、ポリ塩化ビニリデン、ポリクラール、難燃ポリエステル、難燃アクリル、難燃レーヨンなどの難燃性繊維から構成されるか、不燃物繊維及び／又は難燃性繊維が混綿されていることが好ましい。
使用する繊維の繊度は、１．１〜７ｄｔｅｘが好ましい。また、不織布の坪量は、１５〜１００ｇ／ｍ2が好ましく、厚みは、０．５〜２０ｍｍが好ましい。
レンジフード用フィルタ１Ａの通気度は、装着後もレンジフードの換気性能の維持が必要なため、３５ｍ／ＫＰａ・ｓ以上であることが好ましい。
【００１９】
尚、レンジフード用フィルタ１Ａの磁石収容部５を形成する部分のシート材２，３に、フッ素加工等による撥油加工を施すことにより、収容する磁石４の油汚れを更に防ぐことができる。
【００２０】
レンジフード用フィルタ１Ａの磁石４に使用される略円状の磁石片４２は、フェライト磁石、ネオジム磁石、サマコバ磁石、アルニコ磁石、ラバー磁石等の公知の磁石を用いることができるが、価格及び磁力性能の観点からフェライト磁石が好ましい。
【００２１】
レンジフード用フィルタ１Ａの接合部６及び仮固定部５１の接合方法としては、公知のシール法を利用することができる。例えば、超音波シール、熱シール、接着剤が利用できる。
【００２２】
本発明の第１実施形態のレンジフード用フィルタの作用効果について説明する。
第１実施形態のレンジフード用フィルタ１Ａは、図１に示すように、磁石４を収容する筒状構造の磁石収容部５を複数個備える実質的に横方向に長いフィルタであり、筒状構造の磁石収容部５それぞれは、並列に連続して形成されている。このように、磁石収容部５を複数個備えているため、設置するレンジフードのグリスフィルタの大きさに合うようにレンジフード用フィルタ１Ａの幅方向又は長さ方向にカットすることができる。また、カット後の磁石収容部５の幅が短くなったとしても、磁石４の本体４１の長さを調整することができるので、レンジフード用フィルタ１Ａの中に磁石４を収容することができ、何度も使用して使いまわす磁石４を汚さない。また、レンジフード用フィルタ１Ａは、磁石４を収容して一体化できるので、グリスフィルタへの取り付け又は取り外しが一度にでき、簡便である。また、グリスフィルタの大きさに合うようにカットする際、レンジフード用フィルタ１Ａは無地の不織布であることから接合部６を視認し易いので好ましく、レンジフード用フィルタ１Ａの幅方向の両端部間に亘って存在する接合部６に沿ってカットすれば、真っ直ぐにカットすることができる。
【００２３】
次に、本発明の第２実施形態のレンジフード用フィルタについて、図５及び図６（ａ）に基づいて説明する。
第２実施形態のレンジフード用フィルタ１Ｂについては、第１実施形態のレンジフード用フィルタ１Ａと異なる点について説明し、同様の点については、同一の符号を付して説明を省略する。特に説明しない点は、第１実施形態のレンジフード用フィルタ１Ａと同様であり、第１実施形態のレンジフード用フィルタ１Ａの説明が適宜適用される。
【００２４】
第２実施形態のレンジフード用フィルタ１Ｂは、図５及び図６（ａ）に示すように、シート材２で形成され、磁石４を収容する複数個の磁石収容部５’を備えてなり、複数個の磁石収容部５’それぞれは、１枚のシート材２と、このシート材２の対向する上下一対の側部それぞれを折り返し形成された一対の折り返し部２ａ，２ａそれぞれとが、所定間隔で接合されて小袋状構造に形成されている。これらの磁石収容部５’は、所望の長さに切断しても小袋状構造が取り付けに適切な位置に来るように、対向する左右一対の側部１ａ，１ａ近傍それぞれの上下両端部には、少なくとも設けられている。これらの小袋状構造は、レンジフード用フィルタ１Ｂの長手方向の両側部に、それぞれ連続的に並設している。
【００２５】
レンジフード用フィルタ１Ｂは、図５に示すように、実質的に横方向に長い長方形状であり、レンジフード用フィルタ１Ｂは、図５及び図６（ａ）に示すように、金属からなるグリスフィルタに当接するグリスフィルタ当接面側のシート材２及びこのシート材２の対向する上下一対の側部それぞれを折り返し形成された一対の折り返し部２ａ，２ａで形成されている。レンジフード用フィルタ１Ｂの上下一対の折り返し部２ａ，２ａの折り返し幅Ｌ１それぞれは、図５に示すように、５〜７０ｍｍである。シート材２の全長は、６００〜３６００ｍｍが好ましい。
【００２６】
レンジフード用フィルタ１Ｂの磁石収容部５’を形成する接合部６’は、折り返し部２ａの幅方向の両端部間に亘って形成されている。
レンジフード用フィルタ１Ｂの磁石収容部５’は、図５に示すように、接合部６’と、それに隣接する接合部６’と、シート材２の折り返し部位２ｂとで囲まれて内側に開いた小袋状構造に形成されている。レンジフード用フィルタ１Ｂの小袋状構造の磁石収容部５’は、図５に示すように、対向する左右一対の側部１ａ，１ａ近傍それぞれの上下両端部には、少なくとも設けられており、レンジフード用フィルタ１Ｂの長手方向の一側部に設けられ、隣接する磁石収容部５’と連続的に並設して設けられている。同様に、レンジフード用フィルタ１Ｂの長手方向の他側部にも設けられている。ここで連続的に並設とは、グリスフィルタの大きさに合うようにカットした際、切断されたレンジフード用フィルタ１Bの両側部に磁石収容部５’が備わるように、磁石収容部５’を連続的に並設していればよい。
【００２７】
レンジフード用フィルタ１Ｂに収容する磁石４’はブロック状の磁石であり、磁石のみで形成されていても、美観や強度を持たせるためにプラスチック樹脂製のカバーで接着面以外を被覆されていてもよい。磁石４’の材質は、磁石片４２と同じである。
レンジフード用フィルタ１Ｂの仮固定部５１’は、図５に示すように、内側に開いた小袋状構造の磁石収容部５’それぞれの開口部の近傍に、磁石４’の抜け落ち難くするために、形成されている。一対の仮固定部５１’それぞれは、図５に示すように、レンジフード用フィルタ１Ｂの長手方向に平行に、収容する磁石４’の左右両端部の内側まで延びるように形成されている。
尚、第２実施形態のレンジフード用フィルタ１Ｂの一部の断面図を示す図６（ａ）の折り返し部２ａの端部を、図６（ｂ）に示すように、さらに折り返し、収容する磁石４’を巻き込むように形成しても良い。このように形成することにより、収容した磁石４’が抜け落ち難く、仮固定部５１’を設けなくても良い。
【００２８】
次に、本発明の第３実施形態のレンジフード用フィルタについて、第２実施形態のレンジフード用フィルタ１Ｂの平面図を示す図５及び図６（ａ）に相当する第３実施形態のレンジフード用フィルタの一部の断面図を示す図６（ｃ）に基づいて説明する。
第３実施形態のレンジフード用フィルタは、第２実施形態のレンジフード用フィルタ１Ｂの折り返し部２ａを設けず、別シート片３’を設けることにより小袋状構造の磁石収容部５’を形成する点で第２実施形態のレンジフード用フィルタ１Ｂと異なっているが、他の点は、第２実施形態のレンジフード用フィルタ１Ｂと同様である。
【００２９】
第３実施形態のレンジフード用フィルタは、図５及び図６（ｃ）に示すように、シート材２とシート材２の対向する上下一対の側部それぞれに沿って配された別シート片３’，３’とが、所定間隔で接合されることにより小袋状構造に形成され、この小袋状構造の磁石収容部５’は連続的に並設している。第３実施形態の磁石収容部５’は、外側に開いた小袋状構造となる。
【００３０】
本発明の第２実施形態のレンジフード用フィルタの作用効果について説明する。
第２実施形態のレンジフード用フィルタ１Ｂは、レンジフード用フィルタ１Ａと同様に、設置するレンジフードのグリスフィルタの大きさに合うようにレンジフード用フィルタ１Ｂの幅方向にカットすることができる。また、レンジフード用フィルタ１Ｂは、磁石４’を磁石収容部５’に収容することができ、何度も使用して使いまわす磁石４’を汚さず、磁石４’と一体化できるので、取り付け又は取り外しが簡便である。
第２実施形態のレンジフード用フィルタ１Ｂは、図５及び図６（ａ）に示すように、複数のブロック状の磁石４’それぞれが、複数の磁石収容部５’に収容されており、複数のブロック状の磁石４’は、それぞれ独立しているので、所定の形状の金属部位に、磁力を介して取り付けることができる。
尚、本発明の第３実施形態のレンジフード用フィルタの作用効果も同様である。
【００３１】
次に、本発明の第４実施形態のレンジフード用フィルタについて、図７及び図８に基づいて説明する。
第４実施形態のレンジフード用フィルタ１Ｃについては、第１実施形態のレンジフード用フィルタ１Ａと異なる点について説明し、同様の点については、同一の符号を付して説明を省略する。特に説明しない点は、第１実施形態のレンジフード用フィルタ１Ａと同様であり、第１実施形態のレンジフード用フィルタ１Ａの説明が適宜適用される。
【００３２】
第４実施形態のレンジフード用フィルタ１Ｃは、図７及び図８に示すように、シート材２，３で形成され、磁石４，４’を収容する複数個の磁石収容部５’’を備えてなり、複数個の前記磁石収容部５’’それぞれは、２枚のシート材２，３が所定間隔で接合されることにより、筒状構造に連続して形成されており、対向する上下一対の側部１ｂ，１ｂそれぞれも接合されており、複数個の磁石収容部５’’それぞれは、上下一対の側部１ｂ，１ｂ側の両端部から内側に離間した位置に、それぞれ磁石挿入開口部７を有している。この磁石収容部５’’は、所望の長さに切断しても筒状構造が取り付けに適切な位置に来るように、対向する左右一対の側部１ａ，１ａ近傍それぞれには、少なくとも設けられており、これらの筒状構造は連続的に並設している。
【００３３】
レンジフード用フィルタ１Ｃは、図７に示すように、実質的に横方向に長い長方形状であり、レンジフード用フィルタ１Ｃは、図７及び図８に示すように、金属からなるグリスフィルタに当接するグリスフィルタ当接面側のシート材２及びグリスフィルタ非当接面側のシート材３で形成されている。レンジフード用フィルタ１Ｃは、図７及び図８に示すように、接合部６以外に、レンジフード用フィルタ１Ｃの長手方向の両側縁部に沿って、グリスフィルタ当接面側のシート材２及びグリスフィルタ非当接面側のシート材３を接合する接合部８がそれぞれ設けられている。
【００３４】
レンジフード用フィルタ１Ｃの磁石収容部５’’は、図７及び図８に示すように、接合部６と、それに隣接する接合部６と、一対の接合部８とで四辺が囲まれている。レンジフード用フィルタ１Ｃの磁石収容部５’’は、上下一対の側部１ｂ，１ｂ側の両端部から内側に離間した位置に、それぞれ磁石挿入開口部７を有している。レンジフード用フィルタ１Ｃの磁石収容部５’’の磁石挿入開口部７は、図７及び図８に示すように、グリスフィルタ当接面側のシート材２に形成されており、グリスフィルタ当接面側のシート材２の長手方向の両側縁から離間した位置に、長手方向に平行に、接合部６及びそれに隣接する接合部６の間を切断して形成されている。レンジフード用フィルタ１Ｃの磁石収容部５’’は、図９に示すように、対向する左右一対の側部１ａ，１ａ近傍には、少なくとも設けられており、レンジフード用フィルタ１Ｃに、隣接する磁石収容部５’’と並列に連続して設けられている。ここで並列に連続とは、グリスフィルタの大きさに合うようにカットした際、切断されたレンジフード用フィルタ１Ｂの両側部に磁石収容部５’が備わるように、磁石収容部５’を連続的に並設していればよい。また、シート材の全長は６００〜３６００ｍｍが好ましい。
【００３５】
レンジフード用フィルタ１Ｃに収容する磁石は、プラスチック樹脂製の矩形状の本体４１と略円状の磁石片４２とからなる矩形状の磁石４及びブロック状の磁石４’が使用できる。
【００３６】
本発明の第４実施形態のレンジフード用フィルタの作用効果について説明する。
第４実施形態のレンジフード用フィルタ１Ｃは、レンジフード用フィルタ１Ａと同様に、設置するレンジフードのグリスフィルタの大きさに合うようにレンジフード用フィルタ１Ｃの幅方向にカットすることができる。また、レンジフード用フィルタ１Ｃは、磁石４又は磁石４’を磁石収容部５’’に収容することができ、使いまわす磁石４又は磁石４’を汚さず、磁石４又は磁石４’と一体化できるので、取り付け又は取り外しが簡便である。
第４実施形態のレンジフード用フィルタ１Ｃは、図７及び図８に示すように、矩形状の磁石４及びブロック状の磁石４’の両方を収容することができる。また、レンジフード用フィルタ１Ｃの磁石収容部５’’は、図７及び図８に示すように、四辺が一対の接合部６と、一対の接合部８とで囲まれており、磁石収容部５’’に収容される長方形状の磁石４又はブロック状の磁石４’は、磁石挿入開口部７から挿入されるため、磁石の抜け落ちを防止することができる。また、設置するレンジフードのグリスフィルタの大きさに合うようにレンジフード用フィルタ１Ｃをカットし、カット後のレンジフード用フィルタ１Ｃの対向する左右一対の側部近傍の磁石収容部５’’に矩形状の磁石４をそれぞれ収容し、カット後のレンジフード用フィルタ１Ｃの長手方向の略中央に位置する磁石収容部５’’の両端の小袋状構造にブロック状の磁石４’を収容することにより、レンジフードとの間に隙間ができにくくなる。そのため、レンジフード用フィルタ１Ｃは、長手方向の両端縁部及び両側縁部において、グリスフィルタとの密着性を高くする事ができる。
【００３７】
次に、本発明のフィルタの取り付け方法について、本発明の第１実施形態のレンジフード用フィルタ１Ａの取り付け方法の一実施態様に基づき説明する。
【００３８】
本発明の取り付け方法は、第１実施形態のレンジフード用フィルタ１Ａをレンジフードの金属部位に取り付ける好ましい取り付け方法であって、レンジフード用フィルタ１Ａを、対向する左右一対の側部近傍に設けられた磁石収容部５，５を残すように、所定の大きさに切断し、対向する左右一対の磁石収容部５，５には磁石４を収容し、所定の金属部位に取り付けるフィルタの取り付け方法である。
【００３９】
本実施態様のレンジフード用フィルタ１Ａの取り付け方法としては、先ず、レンジフードの金属部位である、例えば、グリスフィルタの大きさに合わせて、対向する左右一対の側部に磁石収容部５，５を残すように、所定の大きさにレンジフード用フィルタ１Ａをカットする。次に、カット後のレンジフード用フィルタ１Ａの対向する左右一対の側部近傍の磁石収容部５，５には磁石４をそれぞれ収容する。収容する際に、カット後のレンジフード用フィルタ１Ａの幅が短くなっていれば、磁石４の本体４１の支持部材４１ａを支持部材４１ｂ内に嵌入させ短くして収容する。次に、磁石４をフィルタ内に収容したレンジフード用フィルタ１Ａを金属部位であるグリスフィルタ９に取り付ける。尚、レンジフード用フィルタ１Ａのグリスフィルタへの取り付けは、図９（ａ）に示すように、図１０（ａ）に示すレンジフード１０からグリスフィルタ９を取り外さずに、グリスフィルタ９の外表面に取り付けることができる。
【００４０】
本発明の第２実施形態及び第３実施形態のレンジフード用フィルタ１Ｂの取り付け方法は、長方形状の磁石４に替えてブロック状の磁石４’を使用すること以外、第１実施態様のレンジフード用フィルタ１Ａの取り付け方法と同様である。また、第４実施形態のレンジフード用フィルタ１Ｃの取り付け方法は、長方形状の磁石４及びブロック状の磁石４’の何れも使用できること以外、第１実施態様のレンジフード用フィルタ１Ａの取り付け方法と同様である。
【００４１】
本発明のフィルタは、第１〜第４実施形態のレンジフード用フィルタに何ら制限されず、本発明のフィルタの取り付け方法は、上述の一実施態様に制限されず、何れも、例えば、次に説明するように、適宜変更可能である。また、第１〜第４実施形態のレンジフード用フィルタにおける各構成要件は、本発明の趣旨を損なわない範囲で、適宜組み合わせて実施できる。
【００４２】
第１実施形態のレンジフード用フィルタ１Ａのシート材３及び第４実施形態のレンジフード用フィルタ１Ｃのシート材３は、不織布材が使用されているが、通気性のある、例えば、ネット、ガーゼ、布であっても良い。その場合、シート材２とシート材３との接合は、合成樹脂製のネットの場合は超音波シール、熱シール、接着剤等を、金属製や天然繊維製のネット、ガーゼ、布などの場合は接着剤等を用いて接合する。第３実施形態のレンジフード用フィルタの別シート片３’についても同様である。シート材３に通気性の高いシートを用いることで、複数のシート部材を重ねる構造であるレンジフード用フィルタ１Ａ、１Ｃを、高い通気度とする事ができる。グリスフィルタ９に装着した状態においてもレンジフード１０の換気性能を十分に保つことができる。
【００４３】
また、第１実施形態のレンジフード用フィルタ１Ａの接合部６、第２及び第３実施形態のレンジフード用フィルタ１Ｂの接合部６’及び第４実施形態のレンジフード用フィルタ１Ｃの接合部６及び接合部８は、連続的に直線状に形成されているが、実質的に連続であれば良い。また、磁石４，４’が保持できる程度であればドット状や破線状であってもよい。
【００４４】
また、第１実施形態のレンジフード用フィルタ１Ａ及び第４実施形態のレンジフード用フィルタ１Ｃに収容される磁石４は、プラスチック樹脂製の矩形状の本体４１と、略円状の磁石片４２とから形成されているが、長方形状のラバー磁石を使用しても良い。磁石の長さの調整は、ラバー磁石をカットすることにより可能である。
【００４５】
また、上述の第１実施形態のレンジフード用フィルタ１Ａ及び第３実施形態のレンジフード用フィルタ１Ｃに収容される磁石４の本体４１の支持部材４１ａには、一対の括れ部４１ｃを有しているが、括れ部４１ｃを設けなくとも良い。
【００４６】
また、第１実施形態のレンジフード用フィルタ１Ａの筒状構造の磁石収容部５、第２及び第３実施形態のレンジフード用フィルタ１Ｂの小袋状構造の磁石収容部５’には、仮固定部５１又は仮固定部５１’を設けているが、設けなくとも良い。
【００４７】
また、第１〜第４実施形態のレンジフード用フィルタ１Ａ，１Ｂ及び１Ｃの取り付け方法の実施態様では、レンジフード１０のグリスフィルタ９に取り付けているが、金属部位であれば良く、例えば、レンジフード１０のレンジフード本体１０ａに取り付けても良い。
図１０（ａ）に示すレンジフード１０のレンジフード本体１０ａにレンジフード用フィルタを取り付ける際には、レンジフード用フィルタ１Ａ、１Ｂ，及び１Ｃを縦、横どちらの向きに取り付けてもよい（図１０（ｂ）参照）。また、図１１に示すように、グリスフィルタ９の左右に位置し、グリスフィルタ９に隣接されたレンジフード１０の両壁面１０ｂ，１０ｂまで伸ばして装着してもよい。同様に、グリスフィルタ９の上下に位置する隣接されたレンジフード１０の両壁面まで伸ばして装着してもよい。
【００４８】
レンジフード１０のレンジフード本体１０ａに、第１〜第４実施形態のレンジフード用フィルタ１Ａ，１Ｂ及び１Ｃを取り付ける場合、レンジフード用フィルタ１Ａ、１Ｂ，１Ｃをグリスフィルタ９に密着させるため、装着時にグリスフィルタ９の位置する面の周端縁部外方のレンジフード本体１０ａに位置する磁石収容部５、５’又は５’’に、磁石４又は及び４’を収容し装着することができる。
例えば、レンジフード用フィルタ１Ｃは、図１０（ａ）及び図１０（ｂ）に示すように、レンジフード用フィルタ１Ｃの長手方向の両端部における磁石収容部５’’にそれぞれ磁石４と、磁石収容部５’’の上下一対の側部１ｂに磁石４’をレンジフード用フィルタ１Ｃの長手方向に沿った両端縁部付近及び中央部付近に収容し、グリスフィルタ９の周端縁部外方のレンジフード本体１０ａに取り付けて使用する。同様に、レンジフード用フィルタ１Ａは、レンジフード用フィルタ１Ａの長手方向において、両端縁部及び中央部付近の磁石収容部５にそれぞれ磁石４を収容して使用する。また、同様に、レンジフード用フィルタ１Ｂは、レンジフード用フィルタ１Ｂの一対の側部において、レンジフード用フィルタ１Ｂの長手方向に沿った両端縁部及び中央部付近の磁石収容部５’にそれぞれ磁石４’を収容して使用する。
【００４９】
また、図９（ａ）に示すように、一実施態様のレンジフード用フィルタ１Ａは、グリスフィルタ９の外表面に取り付けているが、図１０（ａ）に示すレンジフード１０のレンジフード本体１０ａからグリスフィルタ９を取り外し、図９（ｂ），図９（ｃ）に示すように、レンジフード用フィルタ１Ａの左右一対の側部の磁石収容部５に収容された矩形状の磁石４の一方、又は両方をグリスフィルタ９の内表面に取り付け、再度、グリスフィルタ９をレンジフード本体１０ａに取り付けても良い。他のレンジフード用フィルタ１Ｂ，１Ｃ，１Ｄのグリスフィルタへの取り付けも同様である。
【００５０】
グリスフィルタ又はレンジフード本体にレンジフード用フィルタ取り付け用の磁石４、４’がつかない場合、予めグリスフィルタ又はレンジフード本体に、レンジフード用フィルタ取り付け用の磁石４、４’がつく部材、例えば、金属板や別の磁石等を接着剤や両面テープ等で取り付けることにより、磁石取り付け部を形成し、その磁石取り付け部に、レンジフード用フィルタと一体化した磁石を取り付ける。
【００５１】
本発明のフィルタは、レンジフード用フィルタ以外にも、例えば、エアコン用フィルタ、通気口用フィルタ等のフィルタに好適に用いることができる。
【図面の簡単な説明】
【００５２】
【図１】本発明の第１実施形態のレンジフード用フィルタの平面図である。
【図２】図１に示すレンジフード用フィルタのＹ−Ｙ断面図である。
【図３】第１実施形態で用いた磁石４の拡大平面図である。
【図４】図３に示す磁石４と仮固定部位５１との関係を示す部分拡大平面図である。
【図５】本発明の第２実施形態のレンジフード用フィルタの平面図である。
【図６】（ａ）は、図５に示すレンジフード用フィルタのＹ１−Ｙ１断面図であり、（ｂ）は、第２実施形態のレンジフード用フィルタの変更部分を示す断面図であり、（ｃ）は、第３実施形態のレンジフード用フィルタの一部を示す断面図である。
【図７】本発明の第４実施形態のレンジフード用フィルタの平面図である。
【図８】図７に示すレンジフード用フィルタのＹ−Ｙ断面図である。
【図９】レンジフード１０のグリスフィルタ９にレンジフード用フィルタ１Ａを取り付けた状態を示す断面図である。
【図１０】（ａ）は、レンジフード本体１０ａとグリスフィルタ９と取り付けるレンジフード用フィルタ１Ｃとの関係を示す斜視図であり、（ｂ）は、レンジフード１０の下から見たレンジフード本体１０ａにレンジフード用フィルタ１Ｃを取り付けた状態を示す平面図である。
【図１１】レンジフード用フィルタ１Ｃをレンジフードの両壁面１０ｂまで延ばして取り付けた斜視図である。
【符号の説明】
【００５３】
１Ａ，１Ｂ，１Ｃ    フィルタ（レンジフード用フィルタ）
２    グリスフィルタ当接面側のシート材
２ａ    折り返し部
２ｂ    折り返し部位
３    グリスフィルタ非当接面側のシート材
３’    別シート片
４，４’    磁石
４１    本体
４１ａ，４１ｂ    支持部材
４１ｃ    括れ部
４２    略円状の磁石
５，５’，５’’    磁石収容部
５１    仮固定部
６，６’    接合部
６ａ    第１液漏れ防止壁、６ｂ    第２液漏れ防止壁
７    磁石挿入開口部
８    接合部
９    グリスフィルタ
１０  レンジフード
１０ａ    レンジフード本体、１０ｂ    レンジフードの壁面
【図１】
0005236276.tif 000002
【図２】
0005236276.tif 000003
【図３】
0005236276.tif 000004
【図４】
0005236276.tif 000005
【図５】
0005236276.tif 000006
【図６】
0005236276.tif 000007
【図７】
0005236276.tif 000008
【図８】
0005236276.tif 000009
【図９】
0005236276.tif 000010
【図１０】
0005236276.tif 000011
【図１１】
0005236276.tif 000012